(57)【要約】【課題】身体の一部のむくみを測定し、施療時点におけるむくみの状態に応じて最適の低周波施療を行うことができる。【解決手段】２つの測定電流用電極１で使用者の身体Ｍの一部を挟んで電流を流した際のインピーダンスを測定することで身体Ｍの一部のむくみを測定するむくみ測定部２と、筋収縮をおこさせるための低周波電流を流す低周波用電極３を有する低周波施療部４とを備える。【選択図】図１
2009125510.tif 000002
【特許請求の範囲】
【請求項１】
２つの測定電流用電極で使用者の身体の一部を挟んで電流を流した際のインピーダンスを測定することで身体の一部のむくみを測定するむくみ測定部と、筋収縮をおこさせるための低周波電流を流す低周波用電極を有する低周波施療部とを備えて成ることを特徴とする健康増進器。
【請求項２】
測定電流用電極と低周波用電極とが兼用されていることを特徴とする請求項１記載の健康増進器。
【請求項３】
むくみ測定部によるむくみ測定の結果に基づいて制御部により低周波施療部の稼動を制御することを特徴とする請求項１又は請求項２記載の健康増進器。
【発明の詳細な説明】
【技術分野】
【０００１】
本発明は、健康増進器、より詳しくは、むくみ測定機能付きの低周波施療器に関するものである。
【背景技術】
【０００２】
従来から、健康増進器として、人体に低周波を流すことで施療を行う低周波施療器が特許文献１などにより知られている。この低周波施療器は、一対の導子パットを人体の異なる部位に貼って、一対の導子パット間に低周波電流を流すことで、一対の導子パット間の身体の一部に低周波電流を流して該当する部位の筋収縮を起こし、低周波施療を行うようになっている。
【０００３】
また、従来の低周波施療器には、例えば刺激の強さ、刺激パターン、施療時間を任意に設定できるようになっている。そして、利用者は利用に当って、刺激の強さ、刺激パターン、施療時間を適当に設定して低周波施療を行っているのが現状である。
【０００４】
しかしながら、使用者が適当に選んだ設定した施療モードは必ずしも、施療時点における当該使用者に最も適した施療モードであるとは言えず、施療時点における施療者の状態に照らして必要以上に強い刺激を長時間にわたって与えたり、あるいは、施療時点における施療者の状態に照らして刺激が弱すぎたりして、最適の施療効果を得ることができないといった問題点がある。
【特許文献１】特開２００６−３２５９９８号公報
【発明の開示】
【発明が解決しようとする課題】
【０００５】
本発明は上記の従来の問題点に鑑みて発明したものであって、これから低周波施療を行おうとする施療時点における身体の一部のむくみを測定し、施療時点におけるむくみの状態に応じて最適の低周波施療を行うことができる健康増進器を提供することを課題とするものである。
【課題を解決するための手段】
【０００６】
上記課題を解決するために本発明に係る健康増進器は、２つの測定電流用電極１で使用者の身体Ｍの一部を挟んで電流を流した際のインピーダンスを測定することで身体Ｍの一部のむくみを測定するむくみ測定部２と、筋収縮をおこさせるための低周波電流を流す低周波用電極３を有する低周波施療部４とを備えて成ることを特徴とするものである。
【０００７】
このような構成とすることで、むくみ測定部２で身体Ｍの一部のむくみの程度を測定し、このむくみ測定部２で測定したむくみの程度に応じて、低周波施療部４による身体の当該部位における最も効果的な低周波施療を行うことができる。
【０００８】
また、測定電流用電極１と低周波用電極３とが兼用されていることが好ましい。
【０００９】
このように測定電流用電極１と低周波用電極３とが兼用されていることで、共用化した電極を身体の一部に付けてむくみの測定をして、そのまま低周波施療に移行でき、また、部材点数も削減できる。
【００１０】
また、むくみ測定部２によるむくみ測定の結果に基づいて制御部５により低周波施療部４の稼動を制御するものであることが好ましい。
【００１１】
このような構成とすることで、むくみ測定の結果に基づいて、制御部５により自動的に最適の低周波施療モードに設定してむくんだ箇所の低周波施療ができる。
【発明の効果】
【００１２】
本発明の請求項１記載の発明は、むくみ測定部と、低周波電流を流す低周波施療部とを備えているので、これから低周波施療を行おうとする施療時点における身体の一部のむくみを測定し、施療時点におけるむくみの程度に対応した最適の低周波施療を行うことができて施療効果を上げることができる。
【００１３】
また、請求項２記載の発明にあっては、上記請求項１記載の発明の効果に加えて、電極部に低周波施療部が設けてあるので、共用化した電極を身体の一部に付けてむくみの測定をして、そのまま低周波施療に移行でき、部材点数が少なくなると共に、操作性も良くなる。
【００１４】
また、請求項３記載の発明にあっては、上記請求項１又は請求項２記載の発明の効果に加えて、むくみ測定部によるむくみ測定の結果に基づいて、低周波施療部の稼動を制御する動制御部を設けてあるので、使用者の現在のむくみ状態に応じた最適の低周波施療を自動的に行え、低周波施療効果を上げることができる。
【発明を実施するための最良の形態】
【００１５】
以下、本発明を添付図面に示す実施形態に基いて説明する。
【００１６】
本発明の健康増進器６はむくみ検出機能付き低周波施療器であり、制御部５を備えたコントローラ本体７と、身体に接触させる身体接触部８とで構成してあり、該身体接触部８としては実施形態ではコントローラ本体７と配線コードにより接続したパット８ａを例にして説明する。
【００１７】
図１には本発明の健康増進器６の一実施形態の概略構成図が示してある。コントローラ本体７には、制御部５、低周波電流発生部９、測定電流発生回路１０、電圧測定回路１１、インピーダンス算出回路１２、むくみ推定部１３、切替部１４が設けてある。また、上記コントローラ本体７に配線コードにより接続したパット８ａは一対設けてあり、この一対のパット８ａにはそれぞれ測定電流用電極１、電圧測定用電極１５、低周波用電極３が設けてある。また、コントローラ本体７にはスタート釦１６、オート／マニュアルモード切替釦１７、むくみ測定釦１８、低周波施療釦１９、表示部２０が設けてある。
【００１８】
ここで、上記測定電流用電極１、電圧測定用電極１５、低周波用電極３はいずれも電気を通し粘着性を有する導電性粘着ゲルにより構成してあり、粘着性を有しているため、身体Ｍに貼付けることができるようになっている。
【００１９】
また、本発明の健康増進器６は、刺激の強さ、刺激パターン、施療時間等の１種又は複数が異なる複数の異なる低周波施療モードを有しており、インピーダンス算出回路１２で算出されたインピーダンスに基づき、制御部５で算出されたインピーダンス値に対応した最適の低周波施療モードで稼動するように低周波電流発生部９を制御するようになっている。
【００２０】
本実施形態においては、上記測定電流発生回路１０、電圧測定回路１１、インピーダンス算出回路１２、むくみ推定部１３、測定電流用電極１、電圧測定用電極１５により身体Ｍの一部のむくみを測定するむくみ測定部２が構成してある。
【００２１】
また、低周波電流発生部９、低周波用電極３により低周波施療部４が構成してある。
【００２２】
図２には上記構成の健康増進器６の動作を示すフローチャートが示してある。すなわち、上記構成の健康増進器６は、まず、図３に示すように、一対のパット８ａを使用者の身体Ｍの一部（身体Ｍの被施療部位）を挟むように貼付ける。この状態で、オート／マニュアルモード切替釦１７をオートにし、スタート釦１６をオンにすると、制御部５で測定電流発生回路１０を制御して測定電流発生回路１０により２つの測定電流用電極１間に電流を流し、これにより一対のパット８ａにより挟まれた身体Ｍの一部に電流が流れる。このように一対のパット８ａにより挟まれた身体Ｍの一部に電流が流れることで電圧測定用電極１５間に発生する電圧を電圧測定回路１１で求め、このようにして求めた電圧と、測定電流用電極１間に流れる電流（この場合は定電流）とに基づいてインピーダンス算出回路１２で電圧測定用電極１５間のインピーダンスを算出する。
【００２３】
次に、上記のようにして算出した電圧測定用電極１５間のインピーダンスの情報に基づいてむくみ推定部１３により一対のパット８ａにより挟まれた部分のむくみの程度を推定する（すなわち、身体Ｍにおけるむくみは、組織液やリンパ液が細胞内、細胞外等にたまり、生体中の水分が増加する現象のことであり、また、生体のインピーダンス値は体内の水分量に関係しているので、むくみ推定部１３においては、測定した生体のインピーダンス値と体内の水分量の関係に基づいて、体内の水分量を推定してむくみの程度を推定するようになっている）。
【００２４】
このようにしてむくみ推定部１３により推定したむくみの程度が表示部２０に表示されると共に、該むくみ推定部１３により推定したむくみの程度のデータに基づき制御部５で複数の低周波施療モードの中から上記推定したむくみの程度に対応した最適の低周波施療モードを選んで、当該選択された最適の低周波施療モードで稼動するように低周波電流発生部９が制御される。これにより、低周波電流発生部９により、使用者の身体Ｍの一部（被施療部位）のむくみの程度に対応した最適の低周波施療モードとなるように低周波電流を一対の低周波用電極３間に流し、身体Ｍの一部である施療部位の低周波施療を行う。この場合、低周波電流を被施療部位に流すことで当該部位の筋肉が強制的に収縮し、むくみを解消することができる。
【００２５】
上記設定された最適の低周波施療モードが終了（例えば５分で終了する）すると、次に、再び、上記と同様にして測定電流発生回路１０により２つの測定電流用電極１間に電流を流し、電圧測定用電極１５間に発生する電圧を電圧測定回路１１で求め、このようにして求めた電圧と、測定電流用電極１間に流れる電流とに基づいてインピーダンス算出回路１２で電圧測定用電極１５間のインピーダンスを算出し、算出したインピーダンスの情報に基づいてむくみ推定部１３により再度のむくみの程度を推定する。
【００２６】
この再度のむくみの程度の推定により、当該被施療部位のむくみが上記１回目の低周波施療により再度の低周波施療が必要でない程度まで改善された場合は、そのまま終了する。
【００２７】
一方、この再度のむくみの程度の推定により、当該被施療部位のむくみが上記１回目の低周波施療により一定の程度改善されていたとしても、再度の低周波施療が必要なむくみ程度の場合は、新たに推定したむくみ程度に対応した最適の低周波施療モードを選んで、当該新たなむくみ程度に対応した最適の低周波施療モードで稼動するように低周波電流発生部９が制御され、低周波電流を一対の低周波用電極３間に流し、身体Ｍの一部である施療部位の低周波施療を行う。
【００２８】
この２回目の低周波施療モードが終了すると、次に、同様にして再々度のむくみ程度の推定をし、むくみ程度の推定結果に基づいて、上記と同様の制御が繰り返される。
【００２９】
また、スタート釦１６をオンしてから一定時間経過すると自動的に上記動作が終了するように制御部５により制御される。
【００３０】
このように上記実施形態においては、むくみ測定部２で身体Ｍの一部のむくみの程度を測定し、このむくみ測定部２で測定したむくみの程度に応じて制御部５により低周波施療部４を制御して身体Ｍの被施療部位における最も効果的な低周波施療を自動的に行うことができる。
【００３１】
なお、切替部１４は、むくみ測定部２で測定電流用電極１間に電流を流す際は、電圧測定回路１１と電圧測定用電極１５とが接続され、低周波用電極３間に電流を流す際は電圧測定回路１１と電圧測定用電極１５とが非接続となるようなスイッチにより構成してあり、該切替部１４は制御部５によりスイッチ切替え制御がなされる。
【００３２】
一方、マニアルモードの使用をする場合は、一対のパット８ａを使用者の身体Ｍの一部（身体Ｍの被施療部位）を挟むように貼付け、オート／マニュアルモード切替釦１７をマニアルモードに切替る。この状態で、むくみ測定をする場合は、むくみ測定釦１８を操作することで、制御部５でむくみ測定部２を稼動してむくみ測定を行う。つまり、測定電流発生回路１０を制御して測定電流発生回路１０により２つの測定電流用電極１間に電流を流し、電圧測定用電極１５間に発生する電圧を電圧測定回路１１で求め、このようにして求めた電圧と、測定電流用電極１間に流れる電流（この場合は定電流）とに基づいてインピーダンス算出回路１２で電圧測定用電極１５間のインピーダンスを算出し、むくみ推定部１３により一対のパット８ａにより挟まれた部分のむくみの程度を推定し、このようにしてむくみ推定部１３により推定したむくみの程度が表示部２０に表示されるので、利用者は表示部２０を見ることで、むくみの程度を知ることができる。
【００３３】
また、低周波施療をする場合は、低周波施療釦１９を操作することで、制御部５で低周波施療部４を稼動して低周波施療を行うのであるが、この場合、複数の低周波施療モードのうち自分に合った任意の低周波施療モードを選択して低周波施療を行う。任意の低周波施療モードを選択の操作釦は、上記低周波施療釦１９に兼用させてもよく、低周波施療釦１９とは別に設けてもよい。
【００３４】
次に、本発明の他の実施形態を図４に基づいて説明する。前述の実施形態においては、測定電流用電極１と低周波用電極３が別体の例を示したが、本実形態は、測定電流用電極１と低周波用電極３とを兼用させた構成に特徴がある。
【００３５】
すなわち、図４に示すように、コントローラ本体７に配線コードにより接続した一対のパット８ａにはそれぞれ共用電極２１と、電圧測定用電極１５が設けてある。共用電極２１は測定電流用電極１と低周波用電極３を兼用する電極である。低周波電流発生部９及び測定電流発生回路１０と、上記２つの共用電極２１とは切替スイッチ２２を介して接続してあり、むくみ測定部２を稼動する場合は、測定電流発生回路１０と共用電極２１が接続され且つ低周波電流発生部９と共用電極２１が非接続となるように切替スイッチ２２が切替えられ、また、低周波施療部４を稼動する場合は、低周波電流発生部９と共用電極２１が接続され且つ測定電流発生回路１０と共用電極２１が非接続となるように切替スイッチ２２が切替えられるように制御部５により制御される。
【００３６】
本実施形態における他の構成、作用は、前述の実施形態と同じであるので省略する。本実施形態においては、測定電流用電極１と低周波用電極３とが兼用されているので、パット８ａに設ける電極の数が減り、部材点数が削減できるとともに低周波用電極３の面積を広く取れ、また、共用電極２１を身体Ｍの一部に付けてむくみの測定をして、そのまま低周波施療に移行できる。
【００３７】
上記いずれの実施形態においても、むくみ測定部２でむくみを測定するに当って、周波数の異なる微弱電流（細胞壁を通過することができる周波数の電流、細胞壁を通過することができない微弱電流）を流して、各微弱電流を流した際のインピーダンスをそれぞれ求め、このようにして求めた複数のインピーダンス値に基づいて体内水分量を推定してむくみの程度を推定するようにしてもよい。これにより、細胞内液、細胞外液の各量を考慮した体水分量を求めることができ、精度のよいむくみ測定ができる。
【００３８】
また、図５、図６には本発明の更に他の実施形態が示してある。すなわち、前述の各実施形態においては、むくみ測定部２によるむくみ測定の結果に基づいて制御部５により低周波施療部４の稼動を制御するようにした（つまり自動モードを有している）が、本実施形態においては、自動モードはなく、むくみ測定、低周波施療はそれぞれ個別に独立して操作するように、むくみ測定釦１８、低周波施療釦１９を設けてある。
【００３９】
そして、本実施形態においては、むくみ測定を行う場合は、むくみ測定釦１８を操作してむくみ測定を行って、そのむくみ測定結果を表示部２０で表示するようになっている。
【００４０】
また、低周波治療を行う場合は、低周波施療釦１９を操作して複数の低周波治療モードの中から任意の低周波治療モードを選択して低周波治療を行う。もちろん低周波治療にあたって、事前にむくみ測定をし、その結果を表示部２０で確認した後、低周波施療釦１９を操作して任意の低周波治療モードを選択して低周波治療を行うようにすることもできる。
【００４１】
この図５、図６に示す実施形態は自動でないことをのぞけばそれぞれ、他の構成、作用は前述の図１、図４の各実施形態と同様であり、重複する説明は省略する。
【図面の簡単な説明】
【００４２】
【図１】本発明の一実施形態の概略構成図である。
【図２】同上のフローチャートである。
【図３】同上の使用状態を示し、（ａ）は側面図であり、（ｂ）は正面図である。
【図４】本発明の他の実施形態の概略構成図である。
【図５】本発明の更に他の実施形態の概略構成図である。
【図６】本発明の更に他の実施形態の概略構成図である。
【符号の説明】
【００４３】
１  測定電流用電極
２  むくみ測定部
３  低周波用電極
４  低周波施療部
５  制御部
【図１】
2009125510.tif 000003
【図２】
2009125510.tif 000004
【図３】
2009125510.tif 000005
【図４】
2009125510.tif 000006
【図５】
2009125510.tif 000007
【図６】
2009125510.tif 000008